(57)【要約】【課題】Ｂ光用ライトバルブの寿命を、光量を低下させることなく延ばすことができるようにする。【解決手段】ランプユニット１０２からの光を画像情報に応じて、Ｒ光、Ｇ光、Ｂ光毎に変調する複数の液晶ライトバルブ１０８と、この各液晶ライトバルブ１０８にて変調された色光を合成するクロスダイクロイックプリズム１０９，１１０とを有し、Ｂ光用液晶ライトバルブ１０８Ｂ’，１０８Ｂ''に、Ｂ光の光量をハーフミラー１０６にて分割して入射させる。Ｂ光の変調により劣化が著しく進行するＢ光用液晶ライトバルブ１０８Ｂ’，１０８Ｂ''に、Ｂ光を分割して入射させたので、Ｂ光用液晶ライトバルブ１０８Ｂ’，１０８Ｂ''の寿命を、Ｂ光の光量を低下させることなく延ばすことができる。【選択図】図１
2009042504.tif 000002
【特許請求の範囲】
【請求項１】
光源からの光を画像情報に応じて色光毎に変調する複数の光変調素子と、複数の該光変調素子で変調された色光を合成する色合成光学手段とを有するプロジェクタにおいて、
特定色光を変調する複数の特定色光用光変調素子と、
前記各特定色光用光変調素子に対して前記特定色光の光量を分割して入射させる光量分割手段と
を備えることを特徴とするプロジェクタ。
【請求項２】
前記色合成光学手段は、クロスダイクロイックプリズムであり、
前記特定色光が入射される前記クロスダイクロイックプリズムの１つの入射面に、他のクロスダイクロイックプリズムの出射面を配設し、
前記他のクロスダイクロイックプリズムの複数の入射面に前記特定色光用光変調素子を各々配設した
ことを特徴とする請求項１記載のプロジェクタ。
【請求項３】
前記特定色光用光変調素子は２つであり、
前記光量分割手段がハーフミラーである
ことを特徴とする請求項１或いは２記載のプロジェクタ。
【請求項４】
前記特定色光用光変調素子が液晶ライトバルブである
ことを特徴とする請求項１〜３の何れか１項に記載のプロジェクタ。
【請求項５】
前記特定色光用光変調素子が反射型ライトバルブである
ことを特徴とする請求項１〜３の何れか１項に記載のプロジェクタ。
【請求項６】
前記請求項１〜５の何れか１項に記載のプロジェクタを備えることを特徴とする電子機器。
【発明の詳細な説明】
【技術分野】
【０００１】
本発明は、特定色光に対して劣化の著しい特定色光用光変調素子を複数配設し、各特定色光用光変調素子に対して特定色光の光量を分割して入射させるようにしたプロジェクタ及び電子機器に関する。
【背景技術】
【０００２】
従来、スクリーン上に拡大画像を投射して表示させるプロジェクタは、光源と、光源から出射された光束をダイクロイックミラーを用いて三色の色光Ｒ，Ｇ，Ｂに分離し、分離された光束を各色光毎に、画像情報に応じて変調する３枚の光変調素子と、各光変調素子で変調された光束を、合成する色合成光学装置（クロスダイクロイックプリズム）とを備える、いわゆる三板式のものが知られている。
【０００３】
光変調素子の一例である液晶ライトバルブは、ガラス基板、石英基板等の２枚の透明な基板間に、電気光学物質としての液晶を封入して構成されており、一方の基板に、例えば薄膜トランジスタ（Thin Film Transistor、以下、「ＴＦＴ」と略称）等の能動素子をマトリクス状に配置し、他方の基板に対向電極を配置して、両基板間に封止した液晶層の光学特性を画像情報に応じて変化させることで、画像表示を可能にしている。
【０００４】
ところで、最近のプロジェクタは、スクリーン上に投射する画像の高輝度化、高解像度化の要望が強く、この要望に対応するため光源用ランプとして高出力ランプを採用する傾向にあり、当然、液晶ライトバルブを透過する各色光の強度が強くなる。液晶ライトバルブの一対の基板間の対向面に形成されている配向膜がポリイミド等からなる有機配向膜の場合、透過する光の強度が強くなると、この有機配向膜が劣化する。
【０００５】
特に、液晶ライトバルブは、Ｂ（青色）光に対して劣化が顕著に激しいという劣化特性の周波数依存性があり、従って、Ｂ光を光変調させる液晶ライトバルブは、Ｒ（赤色）光とＧ（緑色）光とを各々光変調させる各液晶ライトバルブに比し、劣化進行が早期化されてしまう。
【０００６】
その結果、Ｂ光用液晶ライトバルブと、Ｒ光用液晶ライトバルブ、及びＧ光用液晶ライトバルブとの交換サイクルが異なり、メンテナンスが煩雑化する問題がある。
【０００７】
この対策として、例えば特許文献１（特開２００４-３１７９４８号公報）には、Ｂ光用液晶ライトバルブの配向膜を、テトラカルボン酸類のモル数に対し、置換ビフェニル構造を含むジアミン化合物のモル比が0.4〜0.9倍として、Ｂ光に対する有機配向膜の劣化を抑えるようにした技術が開示されている。
【特許文献１】特開２００４-３１７９４８号公報
【発明の開示】
【発明が解決しようとする課題】
【０００８】
しかし、上述した文献に開示されている技術では、Ｂ光用液晶ライトバルブに形成されている有機配向膜の組成を改善することで、劣化対策を行っているが、有機配向膜の組成改善では、劣化進行を抑制することはできるが、Ｂ光用液晶ライトバルブの寿命を、Ｒ光用液晶ライトバルブ、及びＧ光用液晶ライトバルブの有する寿命まで延命することはできない。
【０００９】
その結果、全ての液晶ライトバルブの交換時期をほぼ同じに設定することができず、メンテナンスの煩雑化を改善することはできない。
【００１０】
又、Ｂ光の光量を、他の光（Ｒ，Ｇ）の光量に比し半減させれば、Ｂ光用液晶ライトバルブに入射する光量が半減するため、Ｂ光用液晶ライトバルブの寿命を延ばすことができる。しかし、Ｂ光用液晶ライトバルブに入射する光量を半減させてしまうと、スクリーン上に投射される画像の色調が変化し、表示品質が悪化してしまう問題がある。
【００１１】
尚、Ｂ光による劣化は、透過型液晶ライトバルブのみならず、ＬＣＯＳ(Liquid Crystal On Silicon)を代表とする反射型ライトバルブを用いた場合においても反射面の劣化の進行が著しくなる可能性がある。
【００１２】
本発明は、上記事情に鑑み、その色光を変調することで著しく劣化する光変調素子の寿命を、光量を低下させることなく延命させることができ、各光変調素子をほぼ同時に交換することを可能として、交換作業の効率化を実現することのできるプロジェクタ及び電子機器を提供することを目的とする。
【課題を解決するための手段】
【００１３】
上記目的を達成するため第１発明は、光源からの光を画像情報に応じて色光毎に変調する複数の光変調素子と、複数の該光変調素子で変調された色光を合成する色合成光学手段とを有するプロジェクタにおいて、特定色光を変調する複数の特定色光用光変調素子と、前記各特定色光用光変調素子に対して前記特定色光の光量を分割して入射させる光量分割手段とを備えることを特徴とする。
【００１４】
このような構成では、特定色光を変調する特定色光用光変調素子を複数備え、この各特定色光用光変調素子に対し、光量分割手段により特定色光の光量を分割して入射させるようにしたので、特定色光用光変調素子の寿命を、光量を低下させることなく延命させることができる。その結果、各光変調素子をほぼ同時に交換することが可能となり、交換作業の効率化を実現することができる。
【００１５】
第２発明は、第１発明において、前記色合成光学手段は、クロスダイクロイックプリズムであり、前記特定色光が入射される前記クロスダイクロイックプリズムの１つの入射面に、他のクロスダイクロイックプリズムの出射面を配設し、前記他のクロスダイクロイックプリズムの複数の入射面に前記特定色光用光変調素子を各々配設したことを特徴とする。
【００１６】
このような構成では、他のクロスダイクロイックプリズムにて、複数の特定色光用光変調素子にて変調された特定色光を色合成するようにしたので、分割された特定色光の光量を簡単に合成させることができる。
【００１７】
第３発明は第１或いは第２発明において、前記特定色光用光変調素子は２つであり、前記光量分割手段がハーフミラーであることを特徴とする。
【００１８】
このような構成では、ハーフミラーを用いて２つの特定色光用光変調素子に入射する特定色光の光量を分割するようにしたので、簡単な構成で効率よく光量を分割することができる。
【００１９】
第４発明は、第１〜３発明において、前記特定色光用光変調素子が液晶ライトバルブであることを特徴とする。
【００２０】
このような構成では、特定色光用光変調素子を液晶ライトバルブとしたので、この液晶ライトバルブの劣化の進行を抑制させることができる。
【００２１】
第５発明は、第１〜３発明において、前記特定色光用光変調素子が反射型ライトバルブであることを特徴とする。
【００２２】
このような構成では、特定色光用光変調素子を反射型ライトバルブとしたので、この反射型ライトバルブの劣化の進行を抑制させることができる。
【００２３】
第６発明による電子機器は、第１〜５発明の何れかに記載のプロジェクタを備えることを特徴とする。
【００２４】
このような構成では、電子機器に、第１〜５発明の何れかに記載のプロジェクタが備えられているので、電子機器に内装されているプロジェクタの寿命を延ばすことができる。
【発明を実施するための最良の形態】
【００２５】
以下、図面に基づいて本発明の一実施形態を説明する。
【００２６】
［第１実施形態］
図１は液晶プロジェクタユニットの光学的な構成を示す説明図、図２は液晶ライトバルブをその上に形成された各構成要素と共に対向基板側から見た平面図、図３はＴＦＴ基板と対向基板とを貼り合わせて液晶を封入する組立工程終了後の液晶ライトバルブであって、図２のＨ−Ｈ'断面図である。
【００２７】
図１に示すように、電子機器の一例である液晶プロジェクタユニットは、液晶プロジェクタ１００とスクリーン１２０とを有している。
【００２８】
液晶プロジェクタ１００は、光源としてのランプユニット１０２と、ランプユニット１０２から投射された光の波長領域のうちのＲ，Ｇ，Ｂの三原色の輝度をそれぞれ変調する色変調部１０３と、色変調部１０３から出射した光を、スクリーン１２０上に拡大投射する投射レンズ１０４とを備えている。又、ランプユニット１０２は、超高圧水銀ランプやキセノンランプ等のランプ１０２ａと、このランプ１０２ａからの射出光を平行光として反射するリフレクタ１０２ｂとを有している。
【００２９】
又、色変調部１０３は、光分離手段としての２枚のダイクロイックミラー１０５ａ，１０５ｂと、１枚の光量分割手段としてのハーフミラー１０６と、４枚の反射ミラー１０７ａ〜１０７ｄと、４枚の光変調素子としての液晶ライトバルブ１０８Ｒ，１０８Ｇ，１０８Ｂ’，１０８Ｂ''と、２つの色合成光学手段としてのクロスダイクロイックプリズム１０９，１１０とを備えている。
【００３０】
クロスダイクロイックプリズム１０９，１１０は、４つの直角プリズムを貼り合わせた共通の構造を有し、その内部に、Ｂ光を反射する誘電体多層膜及びＲ光を反射する誘電体多層膜が形成されている。従って、Ｇ光は、クロスダイクロイックプリズム１０９，１１０内をそのまま透過する。
【００３１】
クロスダイクロイックプリズム１０９に設けられている１つの出射面に投射レンズ１０４が配設され、この出射面に対向する入射面にＧ光用液晶ライトバルブ１０８Ｇが配設されている。又、このクロスダイクロイックプリズム１０９の他の２つの入射面の一方にＲ光用液晶ライトバルブ１０８Ｒが配設され、他方の入射面にクロスダイクロイックプリズム１１０の出射面が貼り合わされている。このクロスダイクロイックプリズム１１０の出射面に直交する面に設けられている、互いに対向する入射面に、特定色光用光変調素子としてのＢ光用液晶ライトバルブ１０８Ｂ’，１０８Ｂ''が各々配設されている。
【００３２】
又、ダイクロイックミラー１０５ａ，１０５ｂは、ランプユニット１０２からの白色光を、赤色（Ｒ）、緑色（Ｇ）、青色（Ｂ）の三原色に分離（分光）するものである。すなわち、ダイクロイックミラー１０５ａは、ランプユニット１０２の出射方向に配設されており、ガラス基板等の透明基板の表面に、ランプユニット１０２からの白色光のうち、Ｂ光及びＧ光を反射し、Ｒ光を透過する性質のダイクロイック膜が形成されている。一方、ダイクロイックミラー１０５ｂは、ダイクロイックミラー１０５ａの反射方向に対設されており、ガラス基板等の透明基板の表面に、ダイクロイックミラー１０５ａから反射された光のうち、Ｇ光を反射し、Ｂ光を透過する性質のダイクロイック膜が形成されている。
【００３３】
このダイクロイックミラー１０５ａの透過方向に、反射ミラー１０７ａが対設されており、この反射ミラー１０７ａの反射方向にＲ光用液晶ライトバルブ１０８Ｒが対設されている。
【００３４】
又、ダイクロイックミラー１０５ｂの反射方向にＧ光用液晶ライトバルブ１０８Ｇが対設されている。更に、このダイクロイックミラー１０５ｂの透過方向にハーフミラー１０６が対設されている。ハーフミラー１０６は、ガラス基板等の透明基板の表面に金属膜等の反射膜を薄く蒸着したもので、反射光と透過光との強さが、ほぼ１：１に設定されている。従って、ダイクロイックミラー１０５ｂを透過したＢ光は、ハーフミラー１０６によって、その半分の光量が反射され、残りの光量が透過される。
【００３５】
このハーフミラー１０６の反射方向にＢ光用液晶ライトバルブ１０８Ｂ’が対設されている。更に、このハーフミラー１０６の透過方向に反射ミラー１０７ｂが対設され、この反射ミラー１０７ｂの反射方向に反射ミラー１０７ｃが対設され、この反射ミラー１０７ｃの反射方向に反射ミラー１０７ｄが対設され、この反射ミラー１０７ｄの反射方向にＢ光用液晶ライトバルブ１０８Ｂ''が対設されている。
【００３６】
次に、各液晶ライトバルブ１０８Ｒ，１０８Ｇ，１０８Ｂ’，１０８Ｂ''の構成について、図２、図３を用いて簡単に説明する。尚、各液晶ライトバルブ１０８Ｒ，１０８Ｇ，１０８Ｂ’，１０８Ｂ''は同一の構成を有しているため、これらを「液晶ライトバルブ１０８」と総称して説明する。
【００３７】
液晶ライトバルブ１０８は、ＴＦＴ基板１０と、これに対向配置される対向基板２０とを有し、両基板１０，２０の対向面間の画像表示領域１０ａの周囲に設けたシール領域が、シール材３１を介して貼り合わされている。尚、図示しないが両基板１０，２０の外表面に偏光板（図示せず）が配設されている。
【００３８】
更に、この両基板１０，２０の対向面間とシール材３１とで囲まれた領域内に液晶３２が挟持されている。この液晶３２は、シール材３１に切欠き形成された液晶注入口３３からセル注入方式で注入される。尚、この液晶注入口３３は液晶注入後、封止材３４で封止される。又、液晶３２を注入する方式としては、このようなセル注入方式以外に液晶滴下方式が知られている。この液晶滴下方式では、両基板１０，２０を貼り合わせる前に、液晶３２をシール材３１で囲まれた領域に予め滴下しておくため、シール材３１に液晶注入口３３を形成する必要はない。
【００３９】
又、対向基板２０の４隅には、上下導通材５６が設けられており、ＴＦＴ基板１０に設けられた上下導通端子５７と対向基板２０に設けられた対向電極２１との間で電気的に導通されている。又、シール材３１が配置されたシール領域の内側に並行して、画像表示領域１０ａを規定する遮光性の周辺遮光膜５８が対向基板２０側に設けられている。又、画像表示領域の周辺に広がる周辺領域のうち、シール材３１が配置されたシール領域の外側部分には、データ線駆動回路６１及び外部回路接続端子６２がＴＦＴ基板１０の一辺に沿って設けられており、走査線駆動回路６３が、この一辺に隣接する２辺に沿って設けられている。更に、ＴＦＴ基板１０の残る一辺には、画像表示領域１０ａの両側に設けられた走査線駆動回路６３間を電気的に接続するための複数の配線６４が設けられている。尚、走査線駆動回路６３、及び配線６４は、シール材３１の内側の周辺遮光膜５８に対向する位置に配設されている。
【００４０】
更に、ＴＦＴ基板１０上には、画素スイッチング用のＴＦＴや走査線、データ線等の配線が形成された後の画素電極９ａ上に配向膜１６が形成され、他方、対向基板２０の最上層部分に配向膜２２が形成されており、この両配向膜１６，２２間で、所定の配向状態が設定される。配向膜１６，２２は、ポリイミド樹脂等の配向性高分子からなり、印刷等により塗布されて形成されている。
【００４１】
又、外部回路接続端子６２には、図示しないフレキシブル配線基板（ＦＰＣ）が電気的に接続されており、このフレキシブル基板から外部回路接続端子６２を介して供給される画像情報に基づいて、画像表示領域１０ａに各光（Ｒ光、Ｇ光、Ｂ光）毎の画像が表示される。
【００４２】
このような構成からなる液晶プロジェクタユニットでは、ランプユニット１０２から白色光が投射されると、ダイクロイックミラー１０５ａにてＲ光が透過され、Ｂ光及びＧ光が反射される。そして、ダイクロイックミラー１０５ａを透過したＲ光は、反射ミラー１０７ａで反射されて、Ｒ光用液晶ライトバルブ１０８Ｒに入射される。
【００４３】
一方、ダイクロイックミラー１０５ａにて反射されたＧ光及びＢ光は、次のダイクロイックミラー１０５ｂにてＢ光が透過され、Ｇ光が反射される。そして、ダイクロイックミラー１０５ｂを反射したＧ光は、Ｇ光用液晶ライトバルブ１０８Ｇに入射される。
【００４４】
又、ダイクロイックミラー１０５ｂを透過したＢ光は、ハーフミラー１０６で、その半分の光量が反射され、残りの半分の光量が透過される。そして、反射された半分の光量のＢ光は、Ｂ光用液晶ライトバルブ１０８Ｂ’に入射される。一方、ハーフミラー１０６を透過した残りの半分の光量のＢ光は、３枚の反射ミラー１０７ｂ〜１０７ｄを介してＢ光用液晶ライトバルブ１０８Ｂ''に入射される。
【００４５】
各液晶ライトバルブ１０８Ｒ，１０８Ｇ，１０８Ｂ’，１０８Ｂ''は、画像情報に基づき、入射された光を光変調する。尚、Ｂ光用液晶ライトバルブ１０８Ｂ’，１０８Ｂ''は同期しており、同一の画像情報に基づいてＢ光を光変調させる。そして、Ｂ光用液晶ライトバルブ１０８Ｂ’，１０８Ｂ''で光変調されたＢ光は、クロスダイクロイックプリズム１１０により合成されて、出射面に対設するクロスダイクロイックプリズム１０９の入射面に入射される。
【００４６】
ところで、液晶ライトバルブは、Ｂ光に対しては、他のＲ光やＧ光に比し劣化が顕著に激しいという劣化特性の周波数依存性を有している。しかし、本実施形態では、Ｂ光の光量をハーフミラー１０６により、二分割し、分割された光量のＢ光を各Ｂ光用液晶ライトバルブ１０８Ｂ’，１０８Ｂ''に入射するようにしたので、各Ｂ光用液晶ライトバルブ１０８Ｂ’，１０８Ｂ''は劣化進行が抑制され、相対的に各Ｂ光用液晶ライトバルブ１０８Ｂ’，１０８Ｂ''の寿命を延ばすことができる。又、Ｂ光用液晶ライトバルブ１０８Ｂ’，１０８Ｂ''により光変調されたＢ光は、クロスダイクロイックプリズム１１０によって合成されて出射されるので、Ｂ光の光量が低下してしまうこともない。その結果、Ｂ光用液晶ライトバルブ１０８Ｂ’，１０８Ｂ''の交換時期を、他の液晶用ライトバルブ１０８Ｒ，１０８Ｇの交換時期に併せることが可能となり、交換作業の効率化を実現することができる。
【００４７】
一方、クロスダイクロイックプリズム１０９に入射されたＢ光は、ここで、Ｒ光用液晶ライトバルブ１０８Ｒ、及びＧ光用液晶ライトバルブ１０８Ｇによりそれぞれ変調されたＲ光、Ｇ光と再度光合成されて、投射レンズ１０４方向へ出射され、この投射レンズ１０４からスクリーン１２０上にカラー画像が投射されて、このスクリーン１２０に拡大画像を表示する。
【００４８】
このように、本実施形態では、Ｂ光の光量を２分割し、各半減された光量のＢ光を、２つのＢ光用液晶ライトバルブ１０８Ｂ'，１０８Ｂ''で、個別に光変調するようにしたので、各Ｂ光用液晶ライトバルブ１０８Ｂ'，１０８Ｂ''の劣化進行が半減され、相対的に各Ｂ光用液晶ライトバルブ１０８Ｂ'，１０８Ｂ''の寿命を延ばすことができる。
【００４９】
尚、２つのクロスダイクロイックプリズム１０９，１１０のレイアウトは、上述した実施形態以外に種々の態様が考えられる。例えば、クロスダイクロイックプリズム１１０の出射面に投射レンズ１０４を配設すると共に、このクロスダイクロイックプリズム１１０の出射面に対向する面に形成されている入射面に、クロスダイクロイックプリズム１０９の出射面を配設するようにしても良い。或いはクロスダイクロイックプリズム１１０の出射面に対向する面を有する直角プリズムはＢ光を透過させる構成とし、この入射面にＢ光用液晶ライトバルブ１０８Ｂ''を配設するようにしても良い。
【００５０】
［第２実施形態］
図４は本発明の第２実施形態による液晶プロジェクタユニットの光学的な構成を示す説明図である。本実施形態で採用する液晶プロジェクタ１００では、上述した第１実施形態で採用した液晶ライトバルブ１０８Ｒ，１０８Ｇ，１０８Ｂ’，１０８Ｂ''に変えて、ＬＣＯＳ(Liquid Crystal On Silicon)を代表とする、光変調素子としての反射型ライトバルブ１１８Ｒ，１１８Ｇ，１１８Ｂ’，１１８Ｂ''を使用したものである。
【００５１】
すなわち、ランプユニット１０２から白色光が出射されると、ダイクロイックミラー１０５ａにてＲ光が透過され、Ｂ光及びＧ光が反射される。ダイクロイックミラー１０５ａを透過したＲ光は、偏光ミラー１１６ａで反射され、Ｒ光用反射型ライトバルブ１１８Ｒに入射される。そして、このＲ光用反射型ライトバルブ１１８Ｒで光変調されて反射されたＲ光が、偏光ミラー１１６ａを透過し、クロスダイクロイックプリズム１０９に入射される。
【００５２】
一方、ダイクロイックミラー１０５ａにて反射されたＧ光及びＢ光は、偏光ダイクロイックミラー１１５ａにてＢ光が透過され、Ｇ光がＧ光用反射型ライトバルブ１１８Ｇ方向へ反射される。Ｇ光用反射型ライトバルブ１１８Ｇに入射されたＧ光は、そこで光変調されて反射され、偏光ダイクロイックミラー１１５ａを透過し、クロスダイクロイックプリズム１０９に入射される。
【００５３】
又、偏光ダイクロイックミラー１１５ａを透過したＢ光は、光量分割手段としての偏光ハーフミラー１１９にて、その半分の光量がＢ光用反射型ライトバルブ１１８Ｂ’方向へ反射され、残りの半分の光量が透過される。Ｂ光用反射型ライトバルブ１１８Ｂ’に入射されたＢ光は、ここで光変調されて反射され、偏光ハーフミラー１１９を透過し、クロスダイクロイックプリズム１０９に入射される。
【００５４】
一方、偏光ハーフミラー１１９を透過した残りの半分の光量のＢ光は、２枚の反射ミラー１０７ｂ，１０７ｃを介して、偏光ミラー１１６ｂに入射され、この偏光ミラー１１６ｂでＢ光用反射型ライトバルブ１１８Ｂ''側へ反射される。そして、このＢ光用反射型ライトバルブ１１８Ｂ''に入射されたＢ光は、ここで光変調されて反射され、偏光ミラー１１６ｂを透過し、クロスダイクロイックプリズム１０９に入射される。尚、Ｂ光用反射型ライトバルブ１１８Ｂ’，１１８Ｂ''は同期しており、同一の画像情報に基づいてＢ光を光変調させる。
【００５５】
そして、Ｂ光用反射型ライトバルブ１１８Ｂ’，１１８Ｂ''で光変調されたＢ光は、クロスダイクロイックプリズム１１０により合成されて、出射面に対設するクロスダイクロイックプリズム１０９の入射面に入射され、ここでＲ光用反射型ライトバルブ１１８Ｒ、及びＧ光用反射型ライトバルブ１１８Ｇによりそれぞれ変調されたＲ光、Ｇ光と再度光合成されて、投射レンズ１０４方向へ出射され、この投射レンズ１０４からスクリーン１２０上にカラー画像が投射されて、このスクリーン１２０に拡大画像を表示する。
【００５６】
このように、本実施形態では、Ｂ光により反射面が著しい劣化を受け易いＢ光用反射型ライトバルブ１１８Ｂ’，１１８Ｂ''を２枚とし、この各Ｂ光用反射型ライトバルブ１１８Ｂ’，１１８Ｂ''にて、半分の光量のＢ光を個別に光変調するようにしたので、各Ｂ光用反射型ライトバルブ１１８Ｂ’，１１８Ｂ''の劣化進行が半減され、相対的に各Ｂ光用反射型ライトバルブ１１８Ｂ’，１１８Ｂ''の寿命を延ばすことができる。
【産業上の利用可能性】
【００５７】
本発明は、上述した各実施形態に限るものではなく、特許請求の範囲及び明細書全体から読み取れる発明の要旨、あるいは思想に反しない範囲で適宜変更可能であり、そのような変更を伴うプロジェクタ及び電子機器もまた、本発明の技術的範囲に含まれるものである。
【００５８】
又、電子機器としては、例えば、プロジェクタから投射された画像を黒板又は白板に投影し、その投影画像をＣＣＤ等の画像処理手段により画像信号に変換する電子黒板、又は車両のインストルメントパネルに埋設されたプロジェクタから投射された画像をミラーにより、フロントウインド上のスクリーン（ウインドシールド）に投射させてドライバに視認させるヘッドアップディスプレイ（ＨＵＤ）であっても良い。更に、液晶ライトバルブは、ＴＦＴアクティブマトリクス駆動方式の液晶装置以外に、パッシブマトリックス型の液晶装置、ＴＦＤ（薄型ダイオード）をスイッチング素子として備えたものであっても良い。
【図面の簡単な説明】
【００５９】
【図１】第１実施形態による液晶プロジェクタユニットの光学的な構成を示す説明図
【図２】同、液晶ライトバルブをその上に形成された各構成要素と共に対向基板側から見た平面図
【図３】同、図２のＨ−Ｈ'断面図
【図４】第２実施形態による液晶プロジェクタユニットの光学的な構成を示す説明図
【符号の説明】
【００６０】
１００…液晶プロジェクタ、１０２…ランプユニット、１０３…色変調部、１０５ａ，１０５ｂ…ダイクロイックミラー、１０６…ハーフミラー、１０８…液晶ライトバルブ、１０８Ｂ’，１０８Ｂ''…Ｂ光用液晶ライトバルブ、１０９，１１０…クロスダイクロイックプリズム、１１５ａ…偏光ダイクロイックミラー、１１６ａ，１１６ｂ…偏光ミラー、１１８Ｂ’，１１８Ｂ''…Ｂ光用反射型ライトバルブ、１１９…偏光ハーフミラー
【図１】
2009042504.tif 000003
【図２】
2009042504.tif 000004
【図３】
2009042504.tif 000005
【図４】
2009042504.tif 000006